(57)【要約】【課題】目標床温が変化した直後においても燃料添加量を適切に補正し、燃料添加量のばらつきに起因する触媒床温のずれを抑制して触媒床温を好適に制御することのできる車載内燃機関の排気浄化装置を提供する。【解決手段】電子制御装置５０は、目標床温Ｔｔｒｇに基づいて設定された添加量Ｑに基づいて排気に燃料を添加することにより、排気浄化触媒３１に未燃燃料成分を供給して触媒床温を昇温させる昇温制御を実行する。電子制御装置５０は、下流側排気温センサ３３によって検出された下流側排気温Ｔｌｏｗに基づいて測定床温Ｔｍｅｓを算出するとともに、上流側排気温センサ３２によって検出された上流側排気温Ｔｕｐと添加量Ｑとに基づいて想定床温Ｔｓｕｐを算出し、測定床温Ｔｍｅｓが想定床温Ｔｓｕｐよりも大きいときには添加量Ｑを減量補正する一方、測定床温Ｔｍｅｓが想定床温Ｔｓｕｐよりも小さいときには添加量Ｑを増量補正する。【選択図】図１
2009299597.tif 000002
【特許請求の範囲】
【請求項１】
目標床温に基づいて燃料添加量を設定し、設定された燃料添加量に基づいて排気に燃料を添加することにより、排気浄化触媒に未燃燃料成分を供給してその反応熱により触媒床温を昇温させる昇温制御を実行する車載内燃機関の排気浄化装置であって、
前記排気浄化触媒に流入する排気の温度を検出する上流側排気温センサと、前記排気浄化触媒の触媒床温に対応する温度を検出する温度検出手段と、同温度検出手段によって検出された温度に基づいて前記排気浄化触媒の触媒床温を推定する床温推定手段と、前記排気浄化触媒に流入する排気の温度及び前記燃料添加量に基づいて想定される触媒床温を算出する想定床温算出手段とを備え、前記検出された温度に基づいて前記床温推定手段によって推定された測定床温と前記想定床温算出手段によって算出された想定床温とを比較して、前記測定床温が前記想定床温よりも大きいときには前記燃料添加量を減量補正する一方、前記測定床温が前記想定床温よりも小さいときには前記燃料添加量を増量補正する
ことを特徴とする車載内燃機関の排気浄化装置。
【請求項２】
請求項１に記載の車載内燃機関の排気浄化装置において、
前記想定床温算出手段は、前記排気浄化触媒に流入する排気の温度に基づいて算出される前記排気浄化触媒と排気との間の熱収支による同排気浄化触媒の熱量の変化量と、前記燃料添加量に基づいて算出される前記排気浄化触媒における反応熱による発熱量と、前記排気浄化触媒からの放熱量とに基づいて前記排気浄化触媒の想定床温を算出する
ことを特徴とする車載内燃機関の排気浄化装置。
【請求項３】
請求項２に記載の車載内燃機関の排気浄化装置において、
前記想定床温算出手段は、前記排気浄化触媒外周の雰囲気温度に基づいて前記放熱量を算出する
ことを特徴とする車載内燃機関の排気浄化装置。
【請求項４】
請求項３に記載の車載内燃機関の排気浄化装置において、
前記想定床温算出手段は、外気温検出手段を備え、同外気温検出手段によって検出される外気温に基づいて前記排気浄化触媒外周の雰囲気温度を算出する
ことを特徴とする車載内燃機関の排気浄化装置。
【請求項５】
請求項３又は請求項４に記載の車載内燃機関の排気浄化装置において、
前記想定床温算出手段は、前記排気浄化触媒外周の雰囲気温度に加えて車速を参照し、車速が速いときほど前記放熱量が大きくなるように同放熱量を算出する
ことを特徴とする車載内燃機関の排気浄化装置。
【請求項６】
前記温度検出手段は、排気通路における前記排気浄化触媒よりも下流側の部位に設けられた下流側排気温センサからなり、前記床温推定手段は、同下流側排気温センサによって検出された排気温に基づいて前記測定床温を推定する
請求項１〜５のいずれか一項に記載の車載内燃機関の排気浄化装置。
【請求項７】
排気通路における前記排気浄化触媒よりも上流側の部位に燃料添加弁を備え、同燃料添加弁から燃料を噴射することにより、排気に燃料を添加して前記排気浄化触媒に未燃燃料成分を供給する
請求項１〜６のいずれか一項に記載の車載内燃機関の排気浄化装置。
【請求項８】
請求項７に記載の車載内燃機関の排気浄化装置において、
前記燃料添加量の補正量が所定量以上になったときに、前記燃料添加弁に異常が生じている旨の異常判定を行う
ことを特徴とする車載内燃機関の排気浄化装置。
【発明の詳細な説明】
【技術分野】
【０００１】
この発明は、排気に燃料を添加することにより排気浄化触媒に未燃燃料成分を供給し、触媒床温を上昇させる昇温制御を実行する車載内燃機関の排気浄化装置に関する。
【背景技術】
【０００２】
排気を浄化する排気浄化触媒として、例えば、ディーゼル機関等の内燃機関の排気通路には窒素酸化物（ＮＯｘ）を吸蔵・還元するＮＯｘ吸蔵還元触媒が担持されたＰＭフィルタが設けられている。ＰＭフィルタは、ＮＯｘ吸蔵還元触媒によって排気に含まれるＮＯｘを吸蔵し、排気に含まれる未燃燃料成分と反応させてこれを窒素に還元するとともに、排気中に含まれる煤等を主成分とする粒子状物質（以下、ＰＭと称する）を捕集する。
【０００３】
こうした排気浄化触媒を備える車載内燃機関の排気浄化装置にあっては、排気に燃料を添加することにより排気浄化触媒に反応物質として未燃燃料成分を供給し、その反応熱により触媒床温を上昇させる昇温制御を実行する。例えば、未燃燃料成分の反応熱によって触媒床温を上昇させ、ＮＯｘ吸蔵還元触媒を活性化させてＮＯｘの還元反応を促進する。また、ＰＭフィルタにＰＭが堆積し、目詰まりが生じるようになったときには、昇温制御を実行することによりＰＭフィルタの温度を上昇させ、ＰＭフィルタに堆積したＰＭを燃焼除去する。こうした昇温制御にあっては、触媒床温を反応に適した温度に制御するために排気浄化触媒の状態や、機関運転状態に基づいて目標床温が設定され、この目標床温に基づいて燃料添加量が設定される。
【０００４】
ところで、上記のように目標床温に基づいて燃料添加量を設定し、設定された燃料添加量に対応する量の燃料を排気に添加しようとした場合であっても、実際に添加される燃料の量が設定された燃料添加量からずれてしまい、目標床温と実際の触媒床温とにずれが生じてしまう場合がある。例えば、排気通路に燃料添加弁を設け、この燃料添加弁から燃料を噴射することによって排気に燃料を添加する場合にあっては、燃料添加弁の経年劣化や、製造公差等に起因して燃料添加弁の駆動量、すなわち開弁期間に対する燃料添加量にばらつきが生じることがある。そのため、特に燃料添加弁によって燃料を添加する排気浄化装置にあっては、目標床温に基づいて設定された燃料添加量に対応するように燃料添加弁を駆動した場合であっても実際に添加される燃料の量が設定された燃料添加量からずれてしまい、検出される床温と目標床温との間にずれが生じることがある。
【０００５】
これに対して、特許文献１には、こうした燃料添加量のばらつきに起因する目標床温と実際の触媒床温とのずれを解消するために目標床温と検出された触媒床温との偏差に基づいて燃料添加量を補正する車載内燃機関の排気浄化装置が記載されている。具体的には、図８に示されるように排気浄化触媒下流側の排気温度に基づいて算出される測定床温と目標床温との間の温度差ΔＴに基づいて燃料添加量を補正する。すなわち、目標床温よりも測定床温が小さいときには、燃料添加量を増大補正する一方、目標床温よりも測定床温が大きいときには燃料添加量を減量補正する。このように目標床温と測定床温とを比較してこれに基づいて燃料添加量を補正することにより、上記のような燃料添加弁の劣化や、製造公差等による燃料添加量のばらつきに起因する目標床温と実際の触媒床温とのずれを抑制し、適切に触媒床温を制御することができるようになる。
【特許文献１】特開２００３‐１７２１８５号公報
【発明の開示】
【発明が解決しようとする課題】
【０００６】
ところが、図８に示されるように目標床温が変化した直後には測定床温の変化がそれに遅れて変化するため、目標床温と測定床温との間の温度差ΔＴが特に大きくなる。そのため、このときの温度差ΔＴに基づいて燃料添加量が補正された場合には、燃料添加弁の劣化や、製造公差等による燃料添加量のばらつきの大きさに対応していない過剰な補正がなされてしまうこととなる。
【０００７】
これに対して、目標床温の変更に伴う燃料添加量の変化直後の過渡期間における燃料添加量の補正を禁止し、測定床温が安定している期間のみにおいて補正を実行する構成を採用することも考えられる。しかしながら、このように測定床温が安定するまで補正の実行を禁止する構成を採用した場合には、図８に示されるように補正を実行する機会が限定されてしまう。そのため、ＰＭの残存量等の排気浄化触媒の状態や、機関運転状態に基づいて目標床温を適宜変更して緻密な温度制御を行おうとした場合には、補正の機会が好適に得られないおそれがある。
【０００８】
この発明は上記実情に鑑みてなされたものであり、その目的は目標床温が変化した直後においても燃料添加量を適切に補正し、刻々と変化しながら触媒床温に影響を与える機関運転状態を考慮した好適な燃料添加量補正を行うことのできる車載内燃機関の排気浄化装置を提供することにある。
【課題を解決するための手段】
【０００９】
以下、上記目的を達成するための手段及びその作用効果について記載する。
請求項１に記載の発明は、目標床温に基づいて燃料添加量を設定し、設定された燃料添加量に基づいて排気に燃料を添加することにより、排気浄化触媒に未燃燃料成分を供給してその反応熱により触媒床温を昇温させる昇温制御を実行する車載内燃機関の排気浄化装置であって、前記排気浄化触媒に流入する排気の温度を検出する上流側排気温センサと、前記排気浄化触媒の触媒床温に対応する温度を検出する温度検出手段と、同温度検出手段によって検出された温度に基づいて前記排気浄化触媒の触媒床温を推定する床温推定手段と、前記排気浄化触媒に流入する排気の温度及び前記燃料添加量に基づいて想定される触媒床温を算出する想定床温算出手段とを備え、前記検出された温度に基づいて前記床温推定手段によって推定された測定床温と前記想定床温算出手段によって算出された想定床温とを比較して、前記測定床温が前記想定床温よりも大きいときには前記燃料添加量を減量補正する一方、前記測定床温が前記想定床温よりも小さいときには前記燃料添加量を増量補正することをその要旨とする。
【００１０】
上記構成では、排気浄化触媒に流入する排気の温度と設定された燃料添加量とに基づいて想定される触媒床温を逐次算出するようにしている。そして、こうして算出される想定床温と、実際に検出される温度に基づいて推定される測定床温とを比較し、その結果に基づいて燃料添加量を補正するようにしている。こうした構成によれば、目標床温の変更による燃料添加量の変化に伴って触媒床温が変化する過程においても、その時点における想定床温と測定床温とを比較することにより、燃料添加量のばらつきに起因する目標床温と実際の触媒床温とのずれの度合を的確に把握することができるようになる。そのため、目標床温が変化した直後においても燃料添加量を適切に補正し、刻々と変化しながら触媒床温に影響を与える機関運転状態を考慮した好適な燃料添加量補正を行うことができるようになる。
【００１１】
請求項２に記載の発明は、請求項１に記載の車載内燃機関の排気浄化装置において、前記想定床温算出手段は、前記排気浄化触媒に流入する排気の温度に基づいて算出される前記排気浄化触媒と排気との間の熱収支による同排気浄化触媒の熱量の変化量と、前記燃料添加量に基づいて算出される前記排気浄化触媒における反応熱による発熱量と、前記排気浄化触媒からの放熱量とに基づいて前記排気浄化触媒の想定床温を算出することをその要旨とする。
【００１２】
車載内燃機関の排気浄化触媒にあっては、これに流入する排気との間で熱交換が行われるため流入する排気の温度によってその熱量が変化する。また、昇温制御により排気に未燃燃料成分が添加されている場合には、排気に含まれる未燃燃料成分の反応熱によりその熱量が増大する。更に排気管内に設けられた排気浄化触媒の外周側の部分にあっては、その熱の一部が放熱によって奪われるため、熱量が減少する。そのため、具体的には、上記請求項２に記載の発明によるように、排気浄化触媒に流入する排気の温度に基づいて算出される排気との間の熱収支による排気浄化触媒の熱量の変化量と、燃料添加量に基づいて算出される発熱量と、排気浄化触媒からの放熱量とに基づいてその時点における触媒床温の変化量を推定することができ、これに基づいて想定床温を適切に算出することができる。
【００１３】
請求項３に記載の発明は、請求項２に記載の車載内燃機関の排気浄化装置において、前記想定床温算出手段は、前記排気浄化触媒外周の雰囲気温度に基づいて前記放熱量を算出することをその要旨とする。
【００１４】
また、請求項４に記載の発明は、請求項３に記載の車載内燃機関の排気浄化装置において、前記想定床温算出手段は、外気温検出手段を備え、同外気温検出手段によって検出される外気温に基づいて前記排気浄化触媒外周の雰囲気温度を算出することをその要旨とする。
【００１５】
排気浄化触媒の外周側の部分にあっては、排気浄化触媒外周の雰囲気との熱交換によってその熱の一部が奪われるため、この放熱により熱量が減少する。そのため、具体的には請求項３に記載されるように排気浄化触媒外周の雰囲気温度に基づいて排気浄化触媒からの放熱量を算出することができる。また、請求項４に記載されるように外気温検出手段を設け、これによって検出される外気温に基づいて排気浄化触媒外周の雰囲気温度を算出することができる。
【００１６】
請求項５に記載の発明は、請求項３又は請求項４に記載の車載内燃機関の排気浄化装置において、前記想定床温算出手段は、前記排気浄化触媒外周の雰囲気温度に加えて車速を参照し、車速が速いときほど前記放熱量が大きくなるように同放熱量を算出することをその要旨とする。
【００１７】
上述したように排気浄化触媒と排気浄化触媒外周の雰囲気との間の熱交換による放熱量は、排気浄化触媒の雰囲気温度に基づいて算出することができ、この雰囲気温度が低いときほど放熱量が大きくなる。また、車速が速いときには単位時間あたりに排気管に接触する同雰囲気の量が増大するため、雰囲気温度が等しい場合であっても、車速が速いほどその放熱量は大きくなる。そのため、上記請求項５に記載の発明のように、同雰囲気温度に加えて車速を参照し、車速が速いときほど放熱量が大きくなるように同放熱量を算出するようにすることにより、触媒床温と排気浄化触媒外周の雰囲気との間の熱交換による放熱量をより正確に算出することができるようになる。
【００１８】
請求項６に記載の発明は、請求項１〜５のいずれか一項に記載の車載内燃機関の排気浄化装置において、前記温度検出手段は、排気通路における前記排気浄化触媒よりも下流側の部位に設けられた下流側排気温センサからなり、前記床温推定手段は、同下流側排気温センサによって検出された排気温に基づいて前記測定床温を推定するものであることをその要旨とする。
【００１９】
排気と排気浄化触媒との熱交換によって排気浄化触媒を通過する間に排気の温度は変化する。すなわち、排気浄化触媒を通過した排気の温度と排気浄化触媒の触媒床温は高い相関を有している。そのため、上記請求項６に記載の発明のように排気通路における排気浄化触媒よりも下流側の部位に下流側排気温センサを設け、この下流側排気温センサによって排気浄化触媒を通過した排気の温度を検出する構成を採用すれば、検出される排気温に基づいて触媒床温を推定することができる。
【００２０】
請求項７に記載の発明は、排気通路における前記排気浄化触媒よりも上流側の部位に燃料添加弁を備え、同燃料添加弁から燃料を噴射することにより、排気に燃料を添加して前記排気浄化触媒に未燃燃料成分を供給する請求項１〜６のいずれか一項に記載の車載内燃機関の排気浄化装置である。
【００２１】
排気浄化触媒に未燃燃料成分を供給すべく排気に燃料を添加する手段として、具体的には上記請求項７に記載の発明のように排気通路における排気浄化触媒よりも上流側の部位に燃料添加弁を設け、この燃料添加弁から燃料を添加することにより、排気に燃料を添加する構成を採用することができる。
【００２２】
請求項８に記載の発明は、請求項７に記載の車載内燃機関の排気浄化装置において、前記燃料添加量の補正量が所定量以上になったときに、前記燃料添加弁に異常が生じている旨の異常判定を行うことをその要旨とする。
【００２３】
燃料添加量を大幅に補正しているにも関わらず、想定床温と測定床温との間にずれが生じている場合には、燃料添加弁に何らかの異常が生じており燃料添加量を適切に制御できなくなっている可能性が高いことが推定される。そのため、上記請求項８に記載の発明のように燃料添加量の補正量が所定量以上になったか否かを監視し、補正量が所定量以上になった場合には、これに基づいて燃料添加弁に異常が生じている旨の判定を行う構成を採用することもできる。こうした構成を採用すれば、補正量が所定量以上であることに基づいて燃料添加弁に異常が生じている旨の判定を行うことができ、これに基づいて燃料添加弁の修理、交換等を促すことができるようになる。
【発明を実施するための最良の形態】
【００２４】
以下、この発明にかかる車載内燃機関の排気浄化装置を、車載ディーゼルエンジンの排気浄化装置に具体化した一実施形態について、図１〜７を参照して説明する。
図１は、本実施形態にかかるディーゼルエンジン１０及びその排気浄化装置の概略構成を示す模式図である。ディーゼルエンジン１０の各シリンダ１１（図１にはその１つのみを図示）には、ピストン１２が摺動可能に収容されている。そして、シリンダ１１、ピストン１２の頂面及びシリンダヘッド１３によって燃焼室１４が区画形成されている。そして、シリンダヘッド１３には燃料を噴射するインジェクタ１６が設けられている。これらインジェクタ１６は、図示しないコモンレールに充填された燃料を燃焼室１４内に噴射する。
【００２５】
また、図１に示されるように燃焼室１４には吸気通路２０と排気通路３０とが接続されているとともに、排気通路３０には排気浄化触媒３１が設けられている。排気浄化触媒３１は、多孔質材料によって形成されたモノリス構造のＰＭフィルタからなり、このＰＭフィルタにはＮＯｘ吸蔵還元触媒が担持されている。
【００２６】
これにより本実施形態のディーゼルエンジン１０にあっては、排気中の煤等を主成分とする粒子状物質（以下、ＰＭと称する）が排気浄化触媒３１のＰＭフィルタに捕集される。また、ＮＯｘ吸蔵還元触媒は、排気中に酸素が大量に残存しているリーン状態において窒素酸化物（以下、ＮＯｘと称する）を吸蔵する一方、排気に未燃燃料成分が含まれるリッチ状態では吸蔵したＮＯｘと排気に含まれる一酸化炭素と未燃燃料成分の炭化水素とを反応させてＮＯｘを還元し、これらを窒素、二酸化炭素、水に変換する。このように本実施形態のディーゼルエンジン１０にあっては、排気浄化触媒３１によって排気を浄化する。
【００２７】
図１に示されるように、排気通路３０における排気浄化触媒３１の上流側の部位には上流側排気温センサ３２が設けられている。これにより、排気浄化触媒３１に流入する排気の温度である上流側排気温Ｔｕｐが上流側排気温センサ３２によって検出される。また、排気通路３０における排気浄化触媒３１の下流側の部位には下流側排気温センサ３３が設けられている。これにより、この下流側排気温センサ３３によって排気浄化触媒３１を通過した排気の温度である下流側排気温Ｔｌｏｗが検出される。
【００２８】
これら上流側排気温センサ３２及び下流側排気温センサ３３は、ディーゼルエンジン１０の各種制御を統括的に実行する電子制御装置５０に接続されており、これら各排気温センサ３２，３３の検出信号は電子制御装置５０に取り込まれる。
【００２９】
電子制御装置５０には、これら各排気温センサ３２，３３の他に、ディーゼルエンジン１０に吸入される吸入空気量ＧＡ及び外気温ＴＡを検出するエアフロメータ４１、アクセル開度ＡＣＣＰを検出するアクセル開度センサ４２、車速ＳＰＤを検出する車速センサ４３、機関回転速度ＮＥを検出するクランクポジションセンサ４４、吸気バルブを駆動する吸気カムシャフトの回転角を検出するカムポジションセンサ４５等の各種センサが接続されている。
【００３０】
電子制御装置５０は、これら各排気温センサ３２，３３及び各種センサ４１〜４５から出力される検出信号を取り込み、これらの検出信号に基づいて各種演算を実行し、ディーゼルエンジン１０の各部を制御する。例えば、機関回転速度ＮＥ及びアクセル開度ＡＣＣＰに基づいてインジェクタ１６の開弁期間及び開弁時期を制御することにより運転者の要求に応じた機関トルクを発生させるために必要な燃料を燃焼室１４内に噴射する。
【００３１】
また、図１の中央に示されるように排気通路３０における上流側排気温センサ３２よりも上流側の部位には、燃料添加弁３４が設けられている。燃料添加弁３４は、電子制御装置５０の指令に基づいて燃料を排気通路３０内に噴射して排気に燃料を添加し、排気浄化触媒３１に反応物質として未燃燃料成分を供給する。
【００３２】
ところで、排気浄化触媒３１に捕集されたＰＭの堆積量が多くなると、排気浄化触媒３１による圧力損失が増大し、機関出力の低下や燃費の悪化などを招くこととなる。そこで、ディーゼルエンジン１０にあっては、排気浄化触媒３１に堆積しているＰＭの量が所定量以上にまで増加したときに、燃料添加弁３４から排気に燃料を添加し、排気浄化触媒３１における反応熱を利用して触媒床温を上昇させる。そして、堆積しているＰＭを燃焼除去することにより排気浄化触媒３１の機能を再生する昇温制御を行うようにしている。電子制御装置５０は、こうした昇温制御において排気浄化触媒３１の触媒床温が適切な温度になるように燃料添加弁３４から添加する燃料の添加量を制御する。
【００３３】
以下、図２及び図３を参照してこの添加量制御について説明する。図２は燃料添加の実行にかかる一連の処理の流れを示すフローチャートである。
この処理は、電子制御装置５０によって昇温制御実行中に所定の制御周期で繰り返し実行される。この処理が開始されると電子制御装置５０は、まずステップＳ１００において排気浄化触媒３１の状態に基づいて目標床温Ｔｔｒｇを設定する。
【００３４】
排気浄化触媒３１に堆積しているＰＭの量が多いときに排気浄化触媒３１の触媒床温を過度に上昇させると、堆積しているＰＭが連鎖的に燃焼してしまい、触媒床温が上昇し続けて過剰に高温化し、排気浄化触媒３１の耐久性が低下するおそれがある。そのため、ここではＰＭの堆積量が多いときには、ＰＭを燃焼除去することのできる温度範囲内において目標床温Ｔｔｒｇを低めに設定する。一方、ＰＭの堆積量が少ないときには、触媒床温を高温にした場合であっても、ＰＭの連鎖的な燃焼による触媒床温の過剰な上昇は起こらない。そのため、ＰＭの堆積量が少ないときには、ＰＭを早期に除去すべく、目標床温Ｔｔｒｇを比較的高めに設定する。
【００３５】
こうして目標床温Ｔｔｒｇを設定するとステップＳ１１０へと進む。そして、ステップＳ１１０において、目標床温Ｔｔｒｇに対応する基本添加量Ｑｂａｓｅを設定する。ここでは、予め行う実験等の結果に基づいて算出された単位添加量当たりの床温上昇量を考慮して目標床温Ｔｔｒｇが高いときほど基本添加量Ｑｂａｓｅを大きな値に設定する。こうして基本添加量Ｑｂａｓｅを設定すると、ステップＳ１２０において、基本添加量Ｑｂａｓｅに後述する補正量設定処理を通じて設定される補正量Ｑｃｏｒを加算して最終的な添加量Ｑを算出する。
【００３６】
そして、ステップＳ１３０へと進み、電子制御装置５０は算出された添加量Ｑに対応した量の燃料を添加すべく、燃料添加弁３４を制御して燃料添加を実行する。
次に上記補正量Ｑｃｏｒを設定する補正量設定処理について図３を参照して説明する。この処理は図２を参照して説明した上記の処理と同様に昇温制御実行中に電子制御装置５０によって所定の制御周期で繰り返し実行される。
【００３７】
この処理が開始されると電子制御装置５０は、まずステップＳ２００において上流側排気温Ｔｕｐ、下流側排気温Ｔｌｏｗ、吸入空気量ＧＡ、車速ＳＰＤ、外気温ＴＡ等の各種信号をそれぞれ読み込む。
【００３８】
そして、ステップＳ２１０において、想定床温Ｔｓｕｐを算出する。本実施形態の排気浄化装置にあっては、具体的には下記の式（１）に基づいて想定床温Ｔｓｕｐを算出する。
【００３９】
Ｔｓｕｐ（ｎ）←
Ｔｓｕｐ（ｎ−１）＋ΔＱｅｘ／Ｃ＋ΔＱｒｃｔ／Ｃ−ΔＱｒａｄ／Ｃ…（１）
尚、ここで、Ｔｓｕｐ（ｎ−１）は前回の制御周期において算出された想定床温Ｔｓｕｐの値である。式（１）にあっては、排気との熱交換による排気浄化触媒３１の熱量の変化量ΔＱｅｘ、排気に含まれる未燃燃料成分の反応熱による排気浄化触媒３１の熱量の変化量ΔＱｒｃｔ、排気通路３０の外周側の部分における排気浄化触媒３１の外周の雰囲気との熱交換によって排気浄化触媒３１が冷却されることによる熱量の変化量ΔＱｒａｄをそれぞれ排気浄化触媒３１の熱容量Ｃで除算し、これらの影響による触媒床温の変化量を算出している。そして、上記式（１）に示されるようにこれらを前回の制御周期において算出された想定床温Ｔｓｕｐ（ｎ−１）に加算、又は減算することにより今回の制御周期における想定床温Ｔｓｕｐ（ｎ）、すなわち想定床温Ｔｓｕｐを算出している。
【００４０】
尚、排気との熱交換による排気浄化触媒３１の熱量の変化量ΔＱｅｘは、下記の式（２）に示されるように上流側排気温Ｔｕｐと前回の制御周期において算出された測定床温Ｔｍｅｓ（ｎ−１）との差と、吸入空気量ＧＡに基づいて推定される排気流量ＥＸに基づいて算出される。
【００４１】
ΔＱｅｘ←Ｋａ×（Ｔｕｐ−Ｔｍｅｓ（ｎ−１））×ＥＸ…（２）
尚、係数Ｋａは、上流側排気温Ｔｕｐと測定床温Ｔｍｅｓとの差に基づいて単位排気流量当たりの排気浄化触媒３１の熱量の変化量を算出するための係数であり、予め実験等の結果に基づいて設定されるものである。
【００４２】
また、未燃燃料成分の反応熱による排気浄化触媒３１の熱量の変化量ΔＱｒｃｔは、下記の式（３）に示されるように今回の制御周期において排気浄化触媒３１において反応する燃料の量Ｑｎと単位添加量当たりの発熱量を示す係数Ｋｂとに基づいて算出される。
【００４３】
ΔＱｒｃｔ←Ｋｂ×Ｑｎ…（３）
尚、今回の制御周期において排気浄化触媒３１において反応する燃料の量Ｑｎは、排気通路３０の壁面への付着量や、壁面からの蒸発量等を考慮して今回の制御周期に相当する時間において実際に排気浄化触媒３１において反応する燃料の量として算出される値であり、前回の制御周期までに算出された添加量Ｑの履歴に基づいてなまし演算等を通じて算出される値である。
【００４４】
そして、排気通路３０の外周側の部分における排気浄化触媒３１の外周の雰囲気との熱交換によって排気浄化触媒３１が冷却されることによる熱量の変化量ΔＱｒａｄは、下記の式（４）に示されるように前回の制御周期において算出された測定床温Ｔｍｅｓ（ｎ−１）と外気温ＴＡとの差、及び車速ＳＰＤに基づいて算出される。
【００４５】
ΔＱｒａｄ←Ｋｃ×（Ｔｍｅｓ（ｎ−１）−ＴＡ）×ＳＰＤ…（４）
尚、係数Ｋｃは、測定床温Ｔｍｅｓと外気温ＴＡとの差及び車速ＳＰＤに基づいて排気浄化触媒３１の放熱による熱量の変化量ΔＱｒａｄを算出するための係数であり、予め実験等結果に基づいて設定されるものである。また、ここでは排気浄化触媒３１の雰囲気との熱交換による熱量の変化量ΔＱｒａｄを算出するために、外気温ＴＡをそのまま排気浄化触媒３１の雰囲気温度として適用し、熱量の変化量ΔＱｒａｄを算出しているが、外気温ＴＡに基づいて雰囲気温度を算出し、測定床温Ｔｍｅｓと算出された雰囲気温度との差に基づいてΔＱｒａｄを算出するようにしてもよい。
【００４６】
こうして上記式（１）〜（４）に基づいて想定床温Ｔｓｕｐを算出すると、ステップＳ２２０へと進み、電子制御装置５０は、下流側排気温Ｔｌｏｗに基づいて測定床温Ｔｍｅｓを推定する。ここでは、予め行う実験の結果に基づいて作成された下流側排気温Ｔｌｏｗと触媒床温との偏差の関係を示す演算マップ等を参照して、今回の制御周期において検出された下流側排気温Ｔｌｏｗに基づいて現時点の排気浄化触媒３１の触媒床温を推定し、この値を測定床温Ｔｍｅｓとする。
【００４７】
こうしてステップＳ２１０及びステップＳ２２０を通じて想定床温Ｔｓｕｐ及び測定床温Ｔｍｅｓを算出すると、ステップＳ２３０へと進み、測定床温Ｔｍｅｓが想定床温Ｔｓｕｐから所定量αを減算した値以下か否かを判定する。すなわち、測定床温Ｔｍｅｓが想定床温よりも所定量α以上小さいか否かを判定する。
【００４８】
尚、上記所定量αは、測定床温Ｔｍｅｓと想定床温Ｔｓｕｐとの間にずれが生じている場合であっても補正量Ｑｃｏｒを変更しない許容範囲を設定するための値であり、排気浄化触媒３１の特性や燃料添加弁３４の特性に合わせて予め設定される値である。
【００４９】
ステップＳ２３０において、測定床温Ｔｍｅｓが想定床温Ｔｓｕｐから所定量αを減算した値以下である旨の判定がなされた場合（ステップＳ２３０：ＹＥＳ）には、実際に添加されている燃料の量が少ない方にずれていることが推定されるため、ステップＳ２４０へと進み補正量Ｑｃｏｒを所定量だけ増大させる。こうして補正量Ｑｃｏｒを所定量だけ増大させるとこの処理を一旦終了する。
【００５０】
一方で、ステップＳ２３０において、測定床温Ｔｍｅｓが想定床温Ｔｓｕｐから所定量αを減算した値よりも大きい旨の判定がなされた場合（ステップＳ２３０：ＮＯ）には、ステップＳ２３５へと進み、測定床温Ｔｍｅｓが想定床温Ｔｓｕｐに所定量αを加算した値以上であるか否かを判定する。
【００５１】
ステップＳ２３５において、測定床温Ｔｍｅｓが想定床温Ｔｓｕｐに所定量αを加算した値以上である旨の判定がなされた場合（ステップＳ２３５：ＹＥＳ）には、実際に添加されている燃料の量が多い方にずれていることが推定されるため、ステップＳ２５０へと進み補正量Ｑｃｏｒを所定量だけ減少させる。こうして補正量Ｑｃｏｒを所定量だけ減少させるとこの処理を一旦終了する。
【００５２】
また、ステップＳ２３５において、測定床温Ｔｍｅｓが想定床温Ｔｓｕｐに所定量αを加算した値よりも小さい旨の判定がなされた場合（ステップＳ２３５：ＮＯ）には、測定床温Ｔｍｅｓと想定床温Ｔｓｕｐとのずれが所定量α以内であるため、補正量Ｑｃｏｒを変更せずにそのままこの処理を一旦終了する。
【００５３】
上述したように本実施形態の排気浄化装置にあっては、図４に示されるように想定床温Ｔｓｕｐと測定床温Ｔｍｅｓとの間の温度差ΔＴに基づいて添加量Ｑを補正する。そのため、図４に示されるように目標床温Ｔｔｒｇが変更された直後であっても、その時点で想定される触媒床温である想定床温Ｔｓｕｐを算出し、この想定床温Ｔｓｕｐと、下流側排気温Ｔｌｏｗに基づいて推定される測定床温Ｔｍｅｓとの間の温度差ΔＴに基づいて添加量Ｑのずれに起因する温度差を的確に把握することができる。そのため、目標床温Ｔｔｒｇの変更直後における触媒床温の変化過程においても、添加量Ｑのずれに起因する温度差を的確に把握することができ、これに基づいて適切な補正量Ｑｃｏｒを設定することができるようになる。
【００５４】
また、本実施形態の電子制御装置５０は、補正量設定処理を通じて設定される補正量Ｑｃｏｒの絶対値の大きさに基づいて燃料添加弁３４の異常判定を行う。以下、図５を参照して燃料添加弁３４の異常判定処理について説明する。尚、図５は、燃料添加弁３４の異常判定処理における一連の処理の流れを示すフローチャートである。
【００５５】
この処理は、電子制御装置５０により、昇温制御実行中に所定の制御周期で繰り返し実行される。この処理が開始されると電子制御装置５０は、まずステップＳ３００において、上述した補正量設定処理を通じて設定された補正量Ｑｃｏｒの絶対値が所定量Ａ以上であるか否かを判定する。
【００５６】
ここで所定量Ａは、補正量Ｑｃｏｒの絶対値が同所定量Ａ以上であることに基づいて、基本添加量Ｑｂａｓｅに基づいて燃料添加弁３４から排気に添加される燃料の量が同基本添加量Ｑｂａｓｅから大幅にずれていることを判定することのできる量として予め設定されるものである。
【００５７】
ステップＳ３００において、補正量Ｑｃｏｒの絶対値が所定量Ａ未満である旨の判定がなされた場合（ステップＳ３００：ＮＯ）には、ステップＳ３２０へと進み、燃料添加弁３４が正常に機能している旨の正常判定を行う。こうして正常判定がなされると電子制御装置５０はこの処理を一旦終了する。
【００５８】
一方で、ステップＳ３００において、補正量Ｑｃｏｒの絶対値が所定量Ａ以上である旨の判定がなされた場合（ステップＳ３００：ＹＥＳ）には、ステップＳ３１０へと進み、燃料添加弁３４に何らかの異常が生じている旨の異常判定を行う。こうして異常判定がなされた場合には、電子制御装置５０は、例えば、警告灯を点灯させる等して運転者に異常の発生を報知し、この処理を一旦終了する。
【００５９】
以上説明した本実施形態によれば、以下の効果が得られるようになる。
（１）排気浄化触媒３１に流入する排気の温度である上流側排気温Ｔｕｐと、設定された添加量Ｑとに基づいて想定床温Ｔｓｕｐを逐次算出するようにしている。そして、こうして算出される想定床温Ｔｓｕｐと、実際に検出される下流側排気温Ｔｌｏｗに基づいて推定される測定床温Ｔｍｅｓとを比較し、その結果に基づいて添加量Ｑを補正するようにしている。こうした構成によれば、目標床温Ｔｔｒｇの変更による添加量Ｑの変化に伴って触媒床温が変化する過程においても、その時点における想定床温Ｔｓｕｐと測定床温Ｔｍｅｓとを比較することにより、実際に添加される燃料の量のばらつきに起因する目標床温Ｔｔｒｇと実際の触媒床温とのずれの度合を的確に把握することができるようになる。そのため、目標床温Ｔｔｒｇが変化した直後においても添加量Ｑを適切に補正し、刻々と変化しながら触媒床温に影響を与える機関運転状態を考慮した好適な燃料添加量補正を行うことができるようになる。
【００６０】
（２）排気浄化触媒３１にあっては、これに流入する排気との間で熱交換が行われるため、流入する排気の温度である上流側排気温Ｔｕｐによってその熱量が変化する。また、昇温制御により排気に未燃燃料成分が添加されている場合には、排気に含まれる未燃燃料成分の反応熱によりその熱量が増大する。更に排気通路３０内に設けられた排気浄化触媒３１の外周側の部分にあっては、外気との熱交換によってその熱の一部が奪われるため、この放熱により熱量が減少する。そのため、上流側排気温Ｔｕｐに基づいて算出される排気との間の熱収支による熱量の変化量ΔＱｅｘと、添加量Ｑに基づいて算出される発熱による熱量の変化量ΔＱｒｃｔと、外気温ＴＡに基づいて算出される放熱による熱量の変化量ΔＱｒａｄとに基づいてその時点における触媒床温の変化量を推定することができ、これに基づいて想定床温Ｔｓｕｐを適切に算出することができる。
【００６１】
（３）排気浄化触媒３１と外気との間の熱交換による熱量の変化量ΔＱｒａｄは、外気温ＴＡに基づいて算出することができ、外気温ＴＡが低いときほど変化量ΔＱｒａｄが大きくなる。また、車速ＳＰＤが大きいときには単位時間あたりに排気管に接触する外気の量が増大するため、外気温ＴＡが等しい場合であっても、車速ＳＰＤが大きいときほど変化量ΔＱｒａｄは大きくなる。そのため、上記実施形態のように外気温ＴＡに加えて車速ＳＰＤを参照し、車速ＳＰＤが大きいときほど排気浄化触媒３１からの放熱による熱量の変化量ΔＱｒａｄが大きくなるように同変化量ΔＱｒａｄを算出するようにすることにより、触媒床温と外気との間の熱交換による熱量の変化量ΔＱｒａｄをより正確に算出することができるようになる。
【００６２】
（４）排気と排気浄化触媒３１との熱交換に起因して排気の温度は排気浄化触媒３１を通過する間に変化する。すなわち、排気浄化触媒３１を通過した排気の温度である下流側排気温Ｔｌｏｗと排気浄化触媒３１の触媒床温は高い相関を有している。そのため、上記実施形態のように排気通路３０における排気浄化触媒３１よりも下流側の部位に下流側排気温センサ３３を設け、この下流側排気温センサ３３によって排気浄化触媒３１を通過した排気の温度を検出する構成を採用すれば、検出される下流側排気温Ｔｌｏｗに基づいて触媒床温を適切に推定することができる。
【００６３】
（５）添加量Ｑを大幅に補正しているにも関わらず、想定床温Ｔｓｕｐと測定床温Ｔｍｅｓとの間にずれが生じている場合には、燃料添加弁３４に何らかの異常が生じており添加量Ｑを適切に制御できなくなっている可能性が高いことが推定される。そのため、上記実施形態のように補正量Ｑｃｏｒの絶対値が所定量Ａ以上になったか否かを監視し、補正量Ｑｃｏｒの絶対値が所定量Ａ以上になった場合には、これに基づいて燃料添加弁３４に異常が生じている旨の判定を行う構成を採用することもできる。こうした構成を採用すれば、添加量Ｑの補正量Ｑｃｏｒの絶対値が所定量Ａ以上であることに基づいて燃料添加弁３４に異常が生じている旨の判定を行うことができ、これに基づいて燃料添加弁３４の修理、交換等を促すことができるようになる。
【００６４】
尚、上記実施形態は、これを適宜変更した以下の形態にて実施することもできる。
・上記実施形態では、想定床温Ｔｓｕｐと測定床温Ｔｍｅｓとを比較した結果に基づいて制御周期毎に所定量ずつ補正量Ｑｃｏｒを増減させる構成を示した。これに対して、制御周期毎に想定床温Ｔｓｕｐと測定床温Ｔｍｅｓとの間の温度差ΔＴに基づいて、これに対応する補正量Ｑｃｏｒを設定する構成を採用することもできる。
【００６５】
尚、こうした構成として具体的には図３に示される補正量設定処理に替えて、図６に示されるような補正量設定処理を実行すればよい。
以下、この変更例にかかる補正量設定処理の具体的な態様について図６及び図７を参照して説明する。尚、図６はこの変更例にかかる補正量設定処理の一連の流れを示すフローチャートである。この図６にあっては、上記実施形態における補正量設定処理（図３）と同様の処理には同一の符号を付している。以下の説明にあっては、上記実施形態の補正量設定処理（図３）との相違点を中心に説明する。
【００６６】
この処理は、上記実施形態の補正量設定処理（図３）と同様に昇温制御実行中に電子制御装置５０によって所定の制御周期で繰り返し実行される。この処理が開始されると、図６に示されるように電子制御装置５０は、ステップＳ２００において、上流側排気温Ｔｕｐ、下流側排気温Ｔｌｏｗ、吸入空気量ＧＡ、車速ＳＰＤ、外気温ＴＡ等の各種信号をそれぞれ読み込む。
【００６７】
そして、ステップＳ２１５において、想定床温Ｔｓｕｐを算出する。本実施形態の排気浄化装置にあっては、具体的には下記の式（１）に基づいて想定床温Ｔｓｕｐを算出する。
【００６８】
Ｔｓｕｐ（ｎ）←
Ｔｓｕｐ（ｎ−１）＋ΔＱｅｘ／Ｃ＋ΔＱｒｃｔ／Ｃ−ΔＱｒａｄ／Ｃ…（１）
尚、ここで、Ｔｓｕｐ（ｎ−１）は前回の制御周期において算出された想定床温Ｔｓｕｐの値である。
【００６９】
式（１）にあっては、排気との熱交換による排気浄化触媒３１の熱量の変化量ΔＱｅｘ、排気に含まれる未燃燃料成分の反応熱による排気浄化触媒３１の熱量の変化量ΔＱｒｃｔ、排気通路３０の外周側の部分における外気との熱交換によって排気浄化触媒３１が冷却されることによる熱量の変化量ΔＱｒａｄをそれぞれ排気浄化触媒３１の熱容量Ｃで除算し、これらの影響による触媒床温の変化量を算出している。そして、上記式（１）に示されるようにこれらを前回の制御周期において算出された想定床温Ｔｓｕｐ（ｎ−１）に加算、又は減算することにより今回の制御周期における想定床温Ｔｓｕｐ（ｎ）、すなわち想定床温Ｔｓｕｐを算出している。
【００７０】
尚、排気との熱交換による排気浄化触媒３１の熱量の変化量ΔＱｅｘは、上流側排気温Ｔｕｐと前回の制御周期において算出された測定床温Ｔｍｅｓ（ｎ−１）との差と、吸入空気量ＧＡに基づいて推定される排気流量ＥＸに基づいて下記の式（２）によって算出される。
【００７１】
ΔＱｅｘ←Ｋａ×（Ｔｕｐ−Ｔｍｅｓ（ｎ−１））×ＥＸ…（２）
尚、係数Ｋａは、上流側排気温Ｔｕｐと測定床温Ｔｍｅｓとの差に基づいて単位排気流量当たりの排気浄化触媒３１の熱量の変化量を算出するための係数であり、予め実験等の結果に基づいて設定されるものである。
【００７２】
また、未燃燃料成分の反応熱による排気浄化触媒３１の熱量の変化量ΔＱｒｃｔは、今回の制御周期において排気浄化触媒３１において反応する燃料のうち基本添加量Ｑｂａｓｅに基づく燃料の量Ｑｂと単位添加量当たりの発熱量を示す係数Ｋｂとに基づいて以下の式（３）によって算出される。
【００７３】
ΔＱｒｃｔ←Ｋｂ×Ｑｂ…（３）
尚、この補正量設定処理におけるＱｂは、上記実施形態におけるＱｎとは異なり、前回の制御周期までに算出された基本添加量Ｑｂａｓｅの履歴に基づいてなまし演算等を通じて算出される値である。
【００７４】
そして、排気通路３０の外周側の部分における外気との熱交換によって排気浄化触媒３１が冷却されることによる熱量の変化量ΔＱｒａｄは、前回の制御周期において算出された測定床温Ｔｍｅｓ（ｎ−１）と外気温ＴＡとの差、及び車速ＳＰＤに基づいて下記の式（４）によって算出される。
【００７５】
ΔＱｒａｄ←Ｋｃ×（Ｔｍｅｓ（ｎ−１）−ＴＡ）×ＳＰＤ…（４）
尚、係数Ｋｃは、測定床温Ｔｍｅｓと外気温との差及び車速ＳＰＤに基づいて排気浄化触媒３１の放熱による熱量の変化量ΔＱｒａｄを算出するための係数であり、予め実験等結果に基づいて設定されるものである。
【００７６】
こうして上記式（１）〜（４）に基づいて想定床温Ｔｓｕｐを算出すると、ステップＳ２２０へと進み、電子制御装置５０は、下流側排気温Ｔｌｏｗに基づいて測定床温Ｔｍｅｓを推定する。ここでは、上記実施形態と同様に演算マップ等を参照して、今回の制御周期において検出された下流側排気温Ｔｌｏｗに基づいて現時点の排気浄化触媒３１の触媒床温を推定し、この値を測定床温Ｔｍｅｓとする。
【００７７】
こうしてステップＳ２１５及びステップＳ２２０を通じて想定床温Ｔｓｕｐ及び測定床温Ｔｍｅｓを算出すると、ステップＳ２６０へと進み、下記の式（５）に示されるように想定床温Ｔｓｕｐと測定床温Ｔｍｅｓとの間の温度差ΔＴを算出する。
【００７８】
ΔＴ←Ｔｓｕｐ−Ｔｍｅｓ…（５）
そして、ステップＳ２７０において、この温度差ΔＴに基づいて補正量Ｑｃｏｒを設定する。ここでは、想定床温Ｔｓｕｐと測定床温Ｔｍｅｓとの間の温度差ΔＴに対応する補正量Ｑｃｏｒの値が記憶されている図７に示されるような演算マップを参照して補正量Ｑｃｏｒを設定する。図７に示されるようにこの演算マップにあっては、温度差ΔＴの値が大きいときほど補正量Ｑｃｏｒが大きな値に設定されるようになっている。より具体的には、測定床温Ｔｍｅｓが想定床温Ｔｓｕｐよりも小さく、温度差ΔＴが正の値をとる場合には、補正量Ｑｃｏｒを正の値に設定し、且つ温度差ΔＴが大きいときほど補正量Ｑｃｏｒを大きな値に設定する。一方で、測定床温Ｔｍｅｓが想定床温Ｔｓｕｐよりも大きく、温度差ΔＴが負の値をとる場合には、補正量Ｑｃｏｒを負の値に設定し、且つ温度差ΔＴの絶対値が大きいときほど補正量Ｑｃｏｒを小さな値に設定する。
【００７９】
こうした補正量設定処理を実行する構成を採用した場合であっても、想定床温Ｔｓｕｐと測定床温Ｔｍｅｓとを比較することによって、実際に添加される燃料の量のばらつきに起因する目標床温Ｔｔｒｇと実際の触媒床温とのずれの度合を的確に把握することができるようになる。そのため、上記実施形態における（１）〜（５）の効果と同様の効果を得ることができる。
【００８０】
・また、上記実施形態では、補正量Ｑｃｏｒに基づいて燃料添加弁３４の異常判定を行う構成を示したが、この異常判定にかかる処理を省略することもできる。
・上記実施形態ではエアフロメータ４１によって検出される外気温ＴＡを排気浄化触媒３１の雰囲気温度として適用し、排気浄化触媒３１とその雰囲気との熱交換による熱量の変化量ΔＱｒａｄを算出する構成を示した。これに対して、排気浄化触媒３１近傍に雰囲気温度を検出するセンサを設け、これによって検出される雰囲気温度に基づいてΔＱｒａｄを算出する構成を採用することもできる。
【００８１】
・上記実施形態では排気通路３０における排気浄化触媒３１よりも下流側の部位に下流側排気温センサ３３を設け、下流側排気温Ｔｌｏｗに基づいて排気浄化触媒３１の温度を推定し、これを測定床温Ｔｍｅｓとする構成を示した。これに対して排気浄化触媒３１の温度を測定する方法は、適宜変更することができる。例えば、排気浄化触媒３１の温度を直接検出する温度センサを設け、これによって検出される温度を測定床温Ｔｍｅｓとする構成を採用することもできる。
【００８２】
・上記実施形態では燃料添加弁３４により排気に燃料を添加する構成を示したが、こうした構成に限らず、排気に燃料を添加することのできる構成であれば排気に燃料を添加する手段は適宜変更することができる。例えば、燃料添加弁３４から燃料を噴射する構成に替えて、通常の燃料噴射の後、膨張行程ないし排気行程の燃焼に寄与しないタイミングにおいて、インジェクタ１６から燃料を噴射する、いわゆるポスト噴射を実行して排気に燃料を添加する構成を採用することもできる。
【００８３】
・また、排気浄化触媒３１よりも上流側の部位に酸化触媒を設け、酸化触媒において未燃燃料成分を反応させて排気浄化触媒３１に流入する排気の温度を上昇させる構成を採用することもできる。その場合には、酸化触媒において反応せずに同酸化触媒を通過してきた燃料の量が、排気浄化触媒３１における反応熱に影響する燃料添加量となる。
【００８４】
・また、上記実施形態では、排気浄化触媒３１としてＰＭフィルタにＮＯｘ吸蔵還元触媒が担持された排気浄化触媒を例示したが、その他の排気浄化触媒であってもよい、例えばガソリンエンジンに搭載される三元触媒を活性化温度まで昇温させるために排気に燃料を添加するものにあっても本願発明を適用することができる。
【図面の簡単な説明】
【００８５】
【図１】この発明の一実施形態にかかる車載内燃機関の排気浄化装置の概略構成を示す模式図。
【図２】同実施形態にかかる排気浄化装置における燃料添加の実行にかかる一連の処理の流れを示すフローチャート。
【図３】同実施形態にかかる排気浄化装置における補正量設定処理の一連の流れを示すフローチャート。
【図４】同実施形態にかかる排気浄化装置における燃料添加量の補正量の設定態様を説明する説明図。
【図５】同実施形態にかかる排気浄化装置における燃料添加弁の異常判定処理の一連の流れを示すフローチャート。
【図６】変更例としての補正量設定処理の一連の流れを示すフローチャート。
【図７】同変更例の補正量設定処理における想定床温と測定床温との差と、補正量との関係を示すグラフ。
【図８】従来の排気浄化装置における燃料添加量の補正量の設定態様を説明する説明図。
【符号の説明】
【００８６】
１０…ディーゼルエンジン、１１…シリンダ、１２…ピストン、１３…シリンダヘッド、１４…燃焼室、１６…インジェクタ、２０…吸気通路、３０…排気通路、３１…排気浄化触媒、３２…上流側排気温センサ、３３…下流側排気温センサ、３４…燃料添加弁、４１…エアフロメータ、４２…アクセル開度センサ、４３…車速センサ、４４…クランクポジションセンサ、４５…カムポジションセンサ。
【図１】
2009299597.tif 000003
【図２】
2009299597.tif 000004
【図３】
2009299597.tif 000005
【図４】
2009299597.tif 000006
【図５】
2009299597.tif 000007
【図６】
2009299597.tif 000008
【図７】
2009299597.tif 000009
【図８】
2009299597.tif 000010